(57)【要約】【課題】従来よりペンダントヘッドの表面にＱＲコード（登録商標）を装着したものはあったが、人の注意を喚起する笛のような報知手段が設けられておらず、震災などで倒壊した建物内や壁間に閉じ込められた場合、大声を出しても声が建物の壁に遮られ、救助隊には聞こえず、大声を出すのに疲れたり声が出なくなってしまい、例え、救助隊が近くにいても救助されないことがあるという問題点があった。また、犯罪に巻き込まれそうになった際に人を呼ぶことや、犯罪者に犯罪を思い止めさすことができないという問題点があった。【解決手段】本発明は、基台に金属用彫刻機によるＱＲコードを彫刻したタグに人の注意を喚起する報知手段を設けたことにより、上記問題点を解決するものである。【選択図】図１
2016207180.tif 000002
【特許請求の範囲】
【請求項１】
基台に金属用彫刻機によるＱＲコードを彫刻したタグに人の注意を喚起する報知手段を設けたことを特徴とするタグ。
【請求項２】
前記報知手段は笛であって、基台に一体的に形成されている請求項１に記載のタグ。
【請求項３】
前記基台はチタン鋼であって、前記金属用彫刻機は、ファイバーレーザー加工機である請求項１又は２のいずれか１項に記載のタグ。
【請求項４】
前記基台はファインセラミックスであって、前記金属用彫刻機は、ファイバーレーザー加工機である請求項１又は２のいずれか１項に記載のタグ。
【請求項５】
前記基台にはチェーン又は紐を挿入する開口部が形成されており、前記開口部がタグの上端となる端縁の略中心に形成されるとともに、前記笛の吹き口が前記開口部が近傍に形成された端縁と同一の端縁に形成されている請求項２乃至請求項４のいずれか１項に記載のタグ。
【発明の詳細な説明】
【技術分野】
【０００１】  本発明は、ペンダントのように首にかけるタグに関するものである。
【背景技術】
【０００２】  従来よりペンダントヘッドの表面にＱＲコード（登録商標）を装着したものはあった。下記の特許文献１に示すものは、ＱＲコード携帯用ペンダントおよびＱＲコード迷子札に関するものであり、電話番号、住所、氏名などの個人情報をＱＲコード化し、そのＱＲコードを印刷したものをペンダントヘッドに装着し、その表面部にプラスチックカバーレンズをＱＲコードの保護として装着し、携帯電話等のＱＲコードの読み取り手段に読み取らせるものは提案されていた。【０００３】  しかしながら、このものは、人の注意を喚起する笛のような報知手段が設けられておらず、震災などで倒壊した建物内や壁間に閉じ込められた場合、大声を出しても声が建物の壁に遮られ、救助隊には聞こえず、大声を出すのに疲れたり声が出なくなってしまうと、例え、救助隊が近くにいても救助されないことがあるという問題点があった。また、犯罪に巻き込まれそうになった際に人を呼ぶことや、犯罪者に犯罪を思い止めさすことができないという問題点があった。また、基台に金属用彫刻機によるＱＲコードを彫刻したもののようにＱＲコードが水や海水・温泉湯も損傷しないものに比し、ＱＲコードを印刷しただけであり、水や海水・温泉湯で消えてしまい読み込みができなくなるという問題点があった。
【先行技術文献】
【特許文献】
【０００４】
【特許文献１】実用新案第３１２２８６９号
【発明の概要】
【発明が解決しようとする課題】
【０００５】  本発明は、上記従来の課題を解決するためになされたものであり、常時携帯しているタグに設けられて人の注意を喚起することができる報知手段により救助隊などの人を呼ぶことができるとともに、ＱＲコードが水や海水・温泉湯で消えることがなく、ＱＲコードの読み込みができるタグを提供することにある。
【課題を解決するための手段】
【０００６】  上記課題を解決するため、本発明のタグは、基台に金属用彫刻機によるＱＲコードを彫刻したタグに人の注意を喚起する報知手段を設けたことを特徴とする。
又、本発明にあっては、前記報知手段は笛であって、基台に一体的に形成されていることが望ましい。
又、本発明にあっては、前記基台はチタン鋼であって、前記金属用彫刻機は、ファイバーレーザー加工機であることが望ましい。
又、本発明にあっては、前記基台はファインセラミックスであって、前記金属用彫刻機は、ファイバーレーザー加工機であることが望ましい。
又、本発明にあっては、前記基台にはチェーン又は紐を挿入する開口部が形成されており、前記開口部がタグの上端となる端縁の略中心に形成されるとともに、前記笛の吹き口が前記開口部が近傍に形成された端縁と同一の端縁に形成されていることが望ましい。
【発明の効果】
【０００７】  本発明のタグは、基台に金属用彫刻機によるＱＲコードを彫刻したタグに人の注意を喚起する報知手段を設けたことを特徴とするものであるから、常時首にかけるタグに人の注意を喚起する報知手段が設けられているので、例え、震災などで倒壊した建物内や壁間に閉じ込められた場合であっても、報知手段を用いることで、救助隊により救助される可能性が高くなるという効果があり、更に、犯罪に巻き込まれそうになった際に人を呼ぶことや、犯罪者に犯罪を思い止めさすことも可能であるという効果がある。
更に、焼付け印刷のように彫らずにＱＲコードを形成したものでは、ＱＲコードに傷が付くとＱＲコードを読み取ることができなくなる可能性があるものや、ＱＲコードを印刷しただけのものに比し、ＱＲコードを読み取る必要があるときに読み取ることができるという効果がある。
又、請求項２のように、前記報知手段は笛であって、基台に一体的に形成されているものは、前記報知手段とタグとが分離することが無く、必要な時に確実に報知手段により人の注意を喚起することが可能であるという効果があり、更に、前記報知手段は笛であるので、ブザーのように電池の電力により報知するものに比し、笛を長時間使用しても笛の報知機能を維持することができ、必要なときに報知することができるという効果がある。
又、請求項３のように、前記基台はチタン鋼であって、前記金属用彫刻機は、ファイバーレーザー加工機であるものは、ファイバーレーザー加工機とチタン鋼との相性が良く、ファイバーレーザー加工機で彫刻したチタン鋼の箇所が黒くなるものであり、チタン鋼以外の金属に針で彫った後、インクを塗ったものに比し、薬品や熱に対しても強く、汗などによりインクが剥がれないという効果があり、ＱＲコードを読み取る必要があるときに読み取ることができるという効果がある。又、基台にチタン鋼を用いているので、金属アレルギーの心配が無いという効果がある。
又、請求項４のように、ファインセラミックスからなる基台にファイバーレーザー加工機であるものは、焼付け印刷のように彫らずにＱＲコードを形成したものがＱＲコードに傷が付くとＱＲコードを読み取ることができなくなる可能性があるものや、ファインセラミックス又はチタン鋼以外の金属に針で彫った後、インクを塗ったものに比し、薬品や熱に対しても強く、汗などによりインクが剥がれないという効果があり、ＱＲコードを読み取る必要があるときに読み取ることができるという効果がある。更に、ファインセラミックスは、白色であるので彫刻するベースを白くする工程を前工程として設けなくても白色を得ることができ、ＱＲコードを彫刻するベースの白色とＱＲコードの黒色のコントラストが明瞭になり、ＱＲコードの読み取りが確実に行えるという効果がある。
又、請求項５のように、前記基台にはチェーン又は紐を挿入する開口部が形成されており、前記開口部がタグの上端となる端縁の略中心に形成されるとともに、前記笛の吹き口が前記開口部が近傍に形成された端縁と同一の端縁に形成されているものは、開口部にチェーン又は紐を挿入している状態では笛の吹き口から笛の内部に浸水した水や湯が笛の吹き口７から不用意に溢れることがなく、肌や衣服を濡らすことが無いという効果があり、笛に入った水や湯をタグを振ることで排水することが望ましいものである。
【図面の簡単な説明】
【０００８】
【図１】図１は、本発明のタグの表面図。
【図２】図２は、本発明のタグの裏面図。
【図３】図３は、本発明のタグの報知手段を示す外観斜視図。
【発明を実施するための形態】
【０００９】  以下、本発明の実施の形態を図１乃至図３に基づいて詳述すると、タグ１は、チタン鋼からなる基台２の片面に購入者が希望されるキャラクター、タグの商標からなる表示部３がファイバーレーザー加工機で彫刻されるとともに、他の片面にファイバーレーザー加工機でＱＲコード４と、購入者が希望される使用者名が彫刻されている。実施例の表示部３は、キャラクター、タグの商標のみ表示したものであるが、購入者が希望されれば、電話番号などの連絡先等を表示しても構わないものである。基台２をチタン鋼にし、ファイバーレーザー加工機を用いて彫刻したものは、ファイバーレーザー加工機とチタン鋼との相性が良く、ファイバーレーザー加工機で彫刻したチタン鋼の箇所が黒くなるものであり、この黒くなった箇所をＱＲコード４として使用すれば良い。尚、チタン鋼以外にアルミニウム等も選択可能であるが、この場合は、インクを塗る必要があり、剥がれるおそれがある。
【００１０】  基台２は、長方形状で上部中央にはチェーン又は紐を挿入する開口部５が形成されている。尚、基台２の形状及び開口部５の位置は実施例に限定されるものでは無く、円形状であっても構わないものである。基台２の大きさは、縦が３０ミリメートル、横が２０ミリメートル、厚みが３ミリメートル程度の大きさの長方形状のものを採用しているが、楕円形形状のものでも構わないものであり、目立つように大きなものを採用しても構わないものである。基台２は、長方形状でコーナー部には円弧状の円弧部が形成されるとともに横方向の中央に開口部が１個形成されているものや、長方形状でコーナー部には円弧状の円弧部が形成されるとともに横方向の両端部に開口部がそれぞれ１個形成されているものや、楕円形状の長手方向の端部に開口部が１個形成されていてもかまわないものである。基台２は、ブラスト研磨とブラスト研磨に比し光沢のあるバレル研磨とを選択することができる。
【００１１】  ＱＲコード４は、氏名、住所、電話番号、携帯電話番号、身体的特徴（怪我・ほくろなど）、ＦＡＸ番号、血液型、アレルギー、緊急連絡先（電話番号、ＦＡＸ番号）、主治医の連絡先、健康保険の記号、運転免許証番号、顔写真、臓器の提供に意思（運転免許所の裏面の情報）、その他のＱＲコード４として残しておきたい情報が入力されており、携帯電話のカメラ等のバーコードリーダーで読み取ることができるようになっている。ＱＲコード４は、購入者の希望に合わせて設定できるようになっている。顔写真、携帯電話番号、身体的特徴（怪我・ほくろなど）は、本人認証機能として使用されるものであり、顔写真は、図３に示すようにタグ１の表面にキャラクターの代わりに彫刻されていても構わないものであり、希望のデータを送付して頂くだけ彫刻ができるものである。携帯電話番号は、携帯電話に表示されたものに触れることで発信され、タグ１の使用者が所有されている携帯電話が鳴れば本人の確認ができるものであり、身体的特徴（怪我・ほくろなど）により、身体的特徴が一致しておれば、本人の確認ができるものであり、携帯電話番号と身体的特徴（怪我・ほくろなど）などがあり、本人認証機能としてＱＲコード４に含まれている。ＱＲコード４として設定される電話番号としては、本人認証機能としての本人の電話番号や一人住まいのタグ１の使用者が緊急に連絡したい子供の電話番号や消防署の電話番号があり、これらを携帯電話やスマートホーンに表示し、その表示部を指で押すことで通話ができるようにしても構わないものであり、これらのデータがＱＲコード４に設定されていることを第三者にも判るように、ＱＲコード４の近くに「緊急連絡先」の表示を行なうのが望ましいものである。
【００１２】  報知手段６は、笛を実施例とするものであり、基台２の左側に上端から下端に跨って形成されている。吹き口７は基台２の上端に開口して形成されており、吹き口７から少し離れた位置に孔８が形成されている。基台２に形成されたチェーン又は紐を挿入する開口部５が基台２の上端となる端縁の略中心に形成されるとともに、笛の吹き口７が開口部５が近傍に形成された端縁と同一の端縁に形成されているものは、開口部５にチェーン又は紐を挿入して首に掛けて使用している状態では笛の吹き口７から笛の内部に浸水した水や湯が笛の吹き口７から不用意に溢れることがなく、肌や衣服を濡らすことが無いのである。前記した略中心は、笛を設けることでタグ１のバランスが崩れるが、それを矯正することができる位置のことを表現したものであり、同様に前記した近傍は、開口部５を形成しても強度が低下しない程度端縁から離れた位置のことを表現したものである。笛は、中空になっており、吹き口７から吹くことで設定された音響が発生するものであり、基台２の厚みよりも厚く（５ミリメートル程度）なっても構わないものである。報知手段６は、笛を実施例としたが、電子音が鳴るブザーのようなものであっても構わないものである。基台２に笛を設ける方法として、実施例では、粉末のチタン又はファインセラミックスの実施例であるジルコニアの材料を溶融した後、型内に充填して一体的に形成しているが、紐にて笛６を連結したり、別体の笛６を溶接や接着をすることで一体的にしても構わないものである。基台２と笛６とを一体化したものは、基台２の開口部５にチェーン又は紐を挿入した際、基台２が傾かないように重量バランスが図られているのが望ましい。更に、ファインセラミックスにジルコニアを用いたものは、硬さがあるとともに、靭性もあり破壊に対する抵抗力や粘りに優れており、ファイバーレーザー加工機でＱＲコード４を彫刻するのに適している。
基台２の材料としてチタン又はファインセラミックスを用いたものは、他の材料が海水や温泉湯に浸けると剥げるのに対し、剥げたり錆びたりすることが無いとともに火事のような熱に対しても耐熱性があり、あらゆる災害のような状態になってもＱＲコード４の読み取りができ対応が可能である。
【００１３】  ファイバーレーザー加工機は、出願人が販売しているワードファイバーレーザー（一本彫刻機、２５本金属自動機彫刻機）が印鑑のような微細な彫刻が可能でるとともに、彫刻の劣化及び消滅しないものであり、望ましいものである。ファイバーレーザー加工機によるＱＲコードを彫刻する彫刻工程には彫刻するベースを白くする工程が前工程として含まれている。この工程は、パワーとスピードとを最適値に設定し、縦と横に１回ずつ走査させることで完了し、パワーとスピードとを最適値に設定し、連続してＱＲコード４の彫刻を行えば良いものである。レーザー加工機としてファイバーレーザー加工機以外に一般のレーザー加工機、ＣＯ２レーザー加工機、ヤグレーザー加工機があるが、ＱＲコードの彫刻にはファイバーレーザー加工機が適している。
【００１４】  基台２の実施例として金属以外のものとして、ファインセラミックスがあり、ファイバーレーザー加工機でＱＲコード３と、購入者が希望される使用者名が片面に彫刻されるとともに、他の片面に購入者が希望されるキャラクター、タグの商標からなる表示部３がファイバーレーザー加工機で彫刻され、実施例１と同様に、ＱＲコード４には本人認証機能が含まれている。
【００１５】タグ１の使用者は、人、特に、痴呆症の方、老人、子供、運転手、パイロットのように、あらゆる事故、人災、災害合われた方の本人確認にも使用可能なものである。
【００１６】  「厚生労働省によると、行方不明になられた認知症の高齢者は、平成２５年の１年間で５２００人。認知症で行方不明の届け出が平成２４年に９６００人。また、認知症は高齢者の４人に１人であり、今後激増する傾向にあり、認知症４００万人、認知症予備軍４００万人。」（平成２６年１１月５日産経デジタルの記事引用）と言われており、本発明のタグを身に着けることで行方不明者の早期発見と減少が望まれる。
【符号の説明】
【００１７】１    タグ
２    基台
３    表示部
４    ＱＲコード
５    開口部
６    報知手段
【図１】
2016207180.tif 000003
【図２】
2016207180.tif 000004
【図３】
2016207180.tif 000005